(57)【要約】      （修正有）【課題】足の中足部の大きさに応じて一対の各締上げベルトの長さの調節ができるようにして、一対の各締上げベルトによって、中足部の内甲側部及び外甲側部における適切な長さの範囲の所定の部分を安定して保持した状態で締め上げることができる履物の中敷を提供する。【解決手段】靴内に装着される中敷本体部１４と、足の土踏まずを含む内甲側部及び外甲側部を締め上げるためのゴム様弾性体で形成された一対の締上げベルト１６、１７と、一対の締上げベルト１６、１７の各一端部を、別々に中敷本体部１４の土踏まず部Ｍの下面に着脱自在に取り付けることができ、かつ、足の土踏まずを含む内甲側部及び外甲側部を締め上げる方向の取付け位置を変更することができる取付け部１５とを備える。さらに、一対の締上げベルト１６、１７の各他端部に設けられ、当該各他端部を別々に履物に着脱自在に取り付けるための連結部１８とを備えて履物の中敷１１とする。【選択図】図１
0003180971.tif 000002
【実用新案登録請求の範囲】
【請求項１】
履物内の底に装着され、踵部と土踏まず部と踏付け部とを有する中敷本体部と、
足の土踏まずを含む内甲側部及び外甲側部を締め上げるためのゴム様弾性体で形成された一対の締上げベルトと、
前記一対の締上げベルトのそれぞれの一端部を、別々に前記中敷本体部の土踏まず部の下面に着脱自在に取り付けることができ、かつ、足の土踏まずを含む内甲側部及び外甲側部を締め上げる方向の取付け位置を変更することができる取付け部と、
前記一対の締上げベルトのそれぞれの他端部に設けられ、当該各他端部を別々に前記履物に着脱自在に取り付けるための連結部とを備えることを特徴とする履物の中敷。
【請求項２】
前記取付け部は、面ファスナを有するものであり、
前記連結部は、靴紐を通すことができる紐挿通孔を有することを特徴とする請求項１記載の履物の中敷。
【請求項３】
前記一対の締上げベルトの各一端部を、前記中敷本体部の土踏まず部の下面に取り付ける前記取付け位置の目印となる位置表示部が、前記中敷本体部の下面に設けられていることを特徴とする請求項１又は２記載の履物の中敷。
【請求項４】
前記取付け部は、前記一対の締上げベルトのそれぞれの一端部に設けられた第１取付け部と、前記中敷本体部の土踏まず部の下面に設けられ、前記第１取付け部が着脱自在に取り付けられる第２取付け部とを有し、
前記一対の締上げベルトは、内甲用締上げベルトと外甲用締上げベルトとを有し、
前記内甲用締上げベルトは、２本のベルトであり、各一端部に設けられた前記第１取付け部がそれぞれ別々に前記第２取付け部に取り付けられ、各他端部が互いに結合し、この互いに結合する部分に前記連結部が設けられ、
前記外甲用締上げベルトは、１本のベルトであり２本の前記内甲用締上げベルトよりも弾力性が小さく、一端部に設けられた前記第１取付け部が前記第２取付け部に取り付けられ、他端部に前記連結部が設けられていることを特徴とする請求項１乃至３のいずれかに記載の履物の中敷。
【請求項５】
請求項１乃至４のいずれかに記載の履物の中敷が装着されていることを特徴とする履物。
【請求項６】
履物が靴であることを特徴とする請求項５記載の履物。
【請求項７】
踵部と土踏まず部と踏付け部とを有する履物本体部と、
足の土踏まずを含む内甲側部及び外甲側部を締め上げるためのゴム様弾性体で形成された一対の締上げベルトと、
前記一対の締上げベルトのそれぞれの一端部を、別々に前記履物本体部の中底の土踏まず部の上面に着脱自在に取り付けることができ、かつ、足の土踏まずを含む内甲側部及び外甲側部を締め上げる方向の取付け位置を変更することができる取付け部と、
前記一対の締上げベルトのそれぞれの他端部に設けられ、当該各他端部を別々に前記履物本体部に着脱自在に取り付けるための連結部とを備えることを特徴とする履物。
【請求項８】
履物が靴であることを特徴とする請求項７記載の履物。
【考案の詳細な説明】
【技術分野】
【０００１】
本考案は、靴等の履物を履いた状態で足の土踏まずを締め上げて、歩行の安定性を高めると共に、立った状態の姿勢の安定性を高めることができる履物の中敷及び履物に関する。
【背景技術】
【０００２】
従来の靴用中敷の一例として、図６（ａ）、（ｂ）に示すものがある（例えば、特許文献１参照。）。この靴用中敷１は、図６（ｂ）に示すように、中敷本体部２と、ベルト３とを備えている。ベルト３は、中敷本体部２の裏側を回ってその両端部が上方に向かって延びている。そして、ベルト３の両方の各端部には、紐挿通孔４が形成されている。
【０００３】
この靴用中敷１を使用するときは、図６（ａ）に示すように、靴５内の底に装着され、ベルト３の両方の各端部を甲被本体６に形成されているそれぞれのベルト挿通孔７に挿通して、甲被本体６の外側に引き出した状態にする。そして、靴紐８をベルト３の紐挿通孔４に挿通して締め付けることによって、ベルト３で中敷本体部２の土踏まず部２ａを締め上げることができ、このようにして、中敷本体部２の土踏まず部２ａを足の土踏まずに押し付けることができる。
【０００４】
つまり、ベルト３及び中敷本体部２によって足の中足部を締め上げることができ、靴紐８によって、このベルト３を甲被本体６に固定して取り付けることができる。これによって、足が靴５内でずれて移動することがなく、靴５を足に対してぴったりと装着することができる。
【先行技術文献】
【特許文献】
【０００５】
【特許文献１】特開平０９−５６４１２号公報
【考案の概要】
【考案が解決しようとする課題】
【０００６】
図６（ａ）に示す靴用中敷１では、例えば足裏の長さ方向の寸法が同一であっても、足の中足部の外周長さの寸法が大きい足や、小さい足を締め付けるときは、中足部の外周長さの大きさに応じて靴紐８を調節して、ベルト３で中足部を適切な力で締め付けるようにすることが考えられる。
【０００７】
しかし、上記従来の靴用中敷１では、ベルト３が中敷本体部２に結合していること、及びベルト３が所定の長さに形成されたものであることによって、ベルト３の両方の各端部が中敷本体部２から引き出されている部分の長さを調節することができない。
【０００８】
そのために、中足部の大きさに対してベルト３の長さ寸法が小さいときは、ベルト３によって、中足部の内甲側部及び外甲側部における適切な長さの範囲の所定の部分を安定して保持した状態で締め上げることができないことがあり、快適な歩行の妨げとなることがある。
【０００９】
そして、中足部の大きさに対してベルト３の長さ寸法が大きいときは、ベルト３の両方の各端部が中足部の甲の頂部まで締め付ける状態となり、ベルト３の各端部が快適な歩行の妨げとなることがある。
【００１０】
本考案は、上記のような課題を解決するためになされたものであり、足の中足部の大きさに応じて一対の各締上げベルトの長さの調節ができるようにして、一対の各締上げベルトによって、中足部の内甲側部及び外甲側部における適切な長さの範囲の所定の部分を安定して保持した状態で締め上げることができる履物の中敷及び履物を提供することを目的としている。
【課題を解決するための手段】
【００１１】
本考案に係る履物の中敷は、履物内の底に装着され、踵部と土踏まず部と踏付け部とを有する中敷本体部と、足の土踏まずを含む内甲側部及び外甲側部を締め上げるためのゴム様弾性体で形成された一対の締上げベルトと、前記一対の締上げベルトのそれぞれの一端部を、別々に前記中敷本体部の土踏まず部の下面に着脱自在に取り付けることができ、かつ、足の土踏まずを含む内甲側部及び外甲側部を締め上げる方向の取付け位置を変更することができる取付け部と、前記一対の締上げベルトのそれぞれの他端部に設けられ、当該各他端部を別々に前記履物に着脱自在に取り付けるための連結部とを備えることを特徴とするものである。
【００１２】
本考案に係る履物の中敷は、履物内の底に装着して使用することができる。この履物の中敷を履物内の底に装着して使用するときは、例えばまず、一対の締上げベルトのそれぞれの一端部を、別々に中敷本体部の土踏まず部の下面に取付け部によって着脱自在に取り付ける。次に、この状態で、中敷本体部を履物内の底に装着する。そして、一対の締上げベルトのそれぞれの他端部に設けられた連結部を例えば履物の紐に連結する。しかる後に、このようにして中敷きが装着された履物に足を挿入すると、履物に挿入された足の中足部を一対の締上げベルトによって締め付けることができる。その結果、この一対の締上げベルト及び中敷本体部によって、足の土踏まず、内甲側部、及び外甲側部を、足の甲の頂部側に向かうように締上げることができる。
【００１３】
そして、一対の締上げベルトは、ゴム様弾性体で形成されているので、足の大きさに応じて伸縮することができる。よって、足の大きさに拘らず、この一対の締上げベルト及び中敷本体部は、所定の適切な締付け力で足の土踏まず、内甲側部及び外甲側部を締め上げて持上げる（リフトアップする）ことができる。
【００１４】
また、一対の締上げベルトのそれぞれの一端部を土踏まず部の下面に取付け部によって取り付けるときに、ベルトの締め上げる方向の取付け位置を変更することができるようにこの取付け部が形成されている。これによって、例えば中足部の外周の長さに応じて、これら一対の締上げベルト及び中敷本体部によって、中足部の内甲側部及び外甲側部における適切な長さの範囲の所定の部分を安定して保持した状態で適切な強さで締め上げることができるように調節することができる。その結果、快適な歩行を実現することができるし、立った状態の姿勢の安定性を高めることができる。
【００１５】
更に、履物の中敷は、この中敷きを装着することができ、かつ、一対の締上げベルトのそれぞれの他端部を、その他端部に設けられている連結部を介して着脱自在に取り付けることができる履物であれば、そのような様々な履物に共用して使用することができ便利である。
【００１６】
この考案に係る履物の中敷において、前記取付け部は、面ファスナを有するものであり、前記連結部は、靴紐を通すことができる紐挿通孔を有するものとするとよい。
【００１７】
このように、取付け部が面ファスナを有するものとすると、比較的簡単に、一対の締上げベルトのそれぞれの一端部を、別々に中敷本体部の土踏まず部の下面に取り付けることができるし、一対の締上げベルトを中敷本体部から取り外すことができる。そして、連結部が、靴紐を通すことができる紐挿通孔を有するものとすると、この履物の中敷を紐靴に装着して使用する場合に、その靴紐を使用して一対の締上げベルト及び中敷本体部を足の中足部に締め付けて、足の土踏まず、内甲側部、及び外甲側部を締め上げることができる。
【００１８】
この考案に係る履物の中敷において、前記一対の締上げベルトの各一端部を、前記中敷本体部の土踏まず部の下面に取り付ける前記取付け位置の目印となる位置表示部が、前記中敷本体部の下面に設けられているものとするとよい。
【００１９】
このようにすると、一対の締上げベルトのそれぞれの一端部を土踏まず部の下面に取付け部によって取り付けるときに、その締上げ方向の取付け位置を、中敷本体部の下面に設けられている位置表示部を目印として調節したり決定することができる。これによって、足の中足部を締め付ける強さが適切な大きさとなるように、一対の締上げベルトのそれぞれの一端部を土踏まず部の下面に取付け部によって簡単に取り付けることができる。
【００２０】
この考案に係る履物の中敷において、前記取付け部は、前記一対の締上げベルトのそれぞれの一端部に設けられた第１取付け部と、前記中敷本体部の土踏まず部の下面に設けられ、前記第１取付け部が着脱自在に取り付けられる第２取付け部とを有し、前記一対の締上げベルトは、内甲用締上げベルトと外甲用締上げベルトとを有し、前記内甲用締上げベルトは、２本のベルトであり、各一端部に設けられた前記第１取付け部がそれぞれ別々に前記第２取付け部に取り付けられ、各他端部が互いに結合し、この互いに結合する部分に前記連結部が設けられ、前記外甲用締上げベルトは、１本のベルトであり２本の前記内甲用締上げベルトよりも弾力性が小さく、一端部に設けられた前記第１取付け部が前記第２取付け部に取り付けられ、他端部に前記連結部が設けられているものとするとよい。
【００２１】
このようにすると、２本の内甲用締上げベルトが、足の内甲側部を足の甲の頂部側に向かって引き上げることができ、１本の外甲用締上げベルトが、足の外甲側部を足の甲の頂部側に向かって引き上げることができる。このように、足の内甲側部を引き上げる力を、外甲側部を引き上げる力よりも大きくすることによって、足の縦アーチが崩れないようにすることができる。これによって、歩行の安定性を高めることができるし、立った状態の姿勢の安定性を高めることができる。
【００２２】
なお、足の内甲側部を引き上げる力を大きくすることによって、足の縦アーチが崩れないようにすることができるのは、足の内甲側部には、舟状骨があり、この舟状骨の部分に足底筋が付いており、この足底筋が２本の内甲用締上げベルトを持ち上げることによって足の縦アーチが保持されるようになっているからである。
【００２３】
本考案に係る履物は、本考案に係る履物の中敷が装着されていることを特徴とするものである。
【００２４】
この考案に係る履物によると、本考案に係る履物の中敷によって足の中足部を締め上げたときに、中敷本体部の土踏まず部を、足の土踏まずに密着させることができる。そして、この中敷本体部は、履物内に装着されているので、足及び中敷本体部が履物内でずれて動くことなく、履物が足と一体となり、歩行をし易くすることができる。また、履物の中敷は、足の土踏まずを締め上げているので、足の爪先を自由に動かすことができ、歩行の安定性を確保することができるし、立った状態の姿勢の安定性を高めることができる。
【００２５】
この考案に係る履物において、履物を靴とするとよい。
【００２６】
このように、本考案に係る履物を靴に適用することによって、安定して歩行したり、安定して立った状態の姿勢を維持することができる靴を提供することができる。
【００２７】
本考案に係る履物は、踵部と土踏まず部と踏付け部とを有する履物本体部と、足の土踏まずを含む内甲側部及び外甲側部を締め上げるためのゴム様弾性体で形成された一対の締上げベルトと、前記一対の締上げベルトのそれぞれの一端部を、別々に前記履物本体部の中底の土踏まず部の上面に着脱自在に取り付けることができ、かつ、足の土踏まずを含む内甲側部及び外甲側部を締め上げる方向の取付け位置を変更することができる取付け部と、前記一対の締上げベルトのそれぞれの他端部に設けられ、当該各他端部を別々に前記履物本体部に着脱自在に取り付けるための連結部とを備えることを特徴とするものである。
【００２８】
この考案に係る履物を使用するときは、例えば、まず、一対の締上げベルトのそれぞれの一端部を、別々に履物本体部の中底の土踏まず部の上面に取付け部によって着脱自在に取り付ける。次に、一対の締上げベルトのそれぞれの他端部に設けられた連結部を例えば履物の紐に連結することによって、履物に挿入された足の中足部を一対の締上げベルト及び中底によって締め付ける。このようにして、この一対の締上げベルト及び中底によって、足の土踏まず、内甲側部、及び外甲側部を、足の甲の頂部側に向かう方向に締上げることができる。
【００２９】
そして、一対の締上げベルトは、ゴム様弾性体で形成されているので、足の大きさに応じて伸縮することができる。よって、足の大きさに拘らず、この一対の締上げベルト及び中底は、所定の適切な締付け力で足の土踏まず、内甲側部及び外甲側部を締め上げて持上げる（リフトアップする）ことができる。
【００３０】
また、一対の締上げベルトのそれぞれの一端部を履物の中底の土踏まず部の上面に取付け部によって取り付けるときに、その締め上げる方向の取付け位置を変更することができるようにこの取付け部が形成されている。これによって、例えば中足部の外周の長さに応じて、これら一対の締上げベルト及び中底によって、中足部の内甲側部及び外甲側部における適切な長さの範囲の所定の部分を安定して保持した状態で適切な強さで締め上げることができるように調節することができる。その結果、快適な歩行を実現することができるし、立った状態の姿勢の安定性を高めることができる。よって、歩行時及び立った状態の姿勢の時の足の疲れを抑制することが可能である。
【００３１】
また、一対の締上げベルトは、これを使用しないときは、履物から取り外すことができるし、これを必要とするときは、履物に装着して使用することができる。
【００３２】
この考案に係る履物において、履物を靴とするとよい。
【００３３】
このように、本考案に係る履物を靴に適用することによって、安定して歩行したり、安定して立った状態の姿勢を維持することができる靴を提供することができる。
【考案の効果】
【００３４】
この考案に係る履物の中敷及び履物によると、例えば中足部の外周の長さに応じて、足の縦アーチが崩れないように、所望の適切な締付け力で、足の土踏まず、内甲側部、及び外甲側部を、足の甲の頂部側に向かう方向に締め上げて確実に保持することができるので、歩行の安定性を高めることができるし、立った状態の姿勢の安定性を高めることができる。その結果、歩行時及び立った状態の姿勢の時の足の疲れを抑制することが可能である。
【００３５】
そして、足の内甲側部を締め上げる一方の締上げベルトは、足首が内側に反ること（内反）を抑制することができる。
【００３６】
また、この考案に係る履物の中敷は、これを使用しないときは、履物から取り外すことができるし、これを必要とするときは、履物に装着して使用することができる。勿論、一対の締上げベルトを中敷本体部から取り外すことができるので、一対の締上げベルトを使用せずに、中敷本体部のみを履物に装着して使用することができる。
【図面の簡単な説明】
【００３７】
【図１】この考案の一実施形態に係る履物の中敷を示す底面図である。
【図２】（ａ）は、図１に示す履物の中敷を構成する一対の締上げベルトを示す底面図、（ｂ）は、図１に示す履物の中敷を構成する中敷本体部を示す部分切欠き底面図である。
【図３】（ａ）は、図１に示す履物の中敷の右足用中敷を示す部分切欠き底面図、（ｂ）は、図１に示す履物の中敷の左足用中敷を示す部分切欠き底面図である。
【図４】図１に示す履物の中敷を構成する２本の内甲用締上げベルトによって足の土踏まずを含む内甲側部を締め上げる状態を説明するための側面図である。
【図５】図１に示す履物の中敷を靴に装着して靴紐で締め上げた状態を示す図であり、（ａ）は靴の内側から見た左側面図、（ｂ）は靴の外側から見た右側面図である。
【図６】従来の靴用中敷の一例を示す図であり、（ａ）はこの靴用中敷を靴に装着した状態を示す斜視図、（ｂ）はこの靴用中敷の斜視図である。
【考案を実施するための形態】
【００３８】
以下、本考案に係る履物の中敷及び履物の一実施形態を、図１〜図５を参照して説明する。この履物の中敷１１は、例えば靴１２（履物）内の底に装着されて使用されるものであり、足の中足部１３を締め上げることができ、これによって、足の縦アーチの崩れを防止して、歩行の安定性を高めることができると共に、立った状態の姿勢の安定性を高めることができるものである。
【００３９】
この履物の中敷１１は、図１の底面図に示すように、中敷本体部１４と、この中敷本体部１４に取付け部１５によって着脱自在に取り付けられている一対の締上げベルト１６、１７とを備えている。この図１に示す履物の中敷１１は、右足用中敷である。
【００４０】
図１及び図２（ｂ）に示す中敷本体部１４は、靴１２内の底に装着されて使用されるものであって、足形に形成された板状体であり、足の踵、土踏まず、及び踏付け部のそれぞれと対応する領域に形成されている踵部Ｋ、土踏まず部Ｍ、及び踏付け部Ｈを有している。この中敷本体部１４は、例えば合成樹脂製である。
【００４１】
一対の締上げベルト１６、１７は、図１及び図２（ａ）に示すものであり、足の土踏まずを含む内甲側部及び外甲側部を締め上げるための合成ゴム等のゴム様弾性体で形成されている。この一対の締上げベルト１６、１７は、内甲用締上げベルト１６と外甲用締上げベルト１７とを有している。
【００４２】
内甲用締上げベルト１６は、細長い２本のベルトであり、各一端部に設けられた後述する第１取付け部１５ａがそれぞれ別々に後述する第２取付け部１５ｂに取り付けられ、各他端部が互いに結合し、この互いに結合する部分に後述する連結部１８が設けられている。
【００４３】
外甲用締上げベルト１７は、細長い１本のベルトであり、一端部に設けられた第１取付け部１５ａが第２取付け部１５ｂに取り付けられ、他端部に連結部１８が設けられている
図１に示す取付け部１５は、例えば面ファスナを有するものである。この取付け部１５は、一対の締上げベルト１６、１７のそれぞれの一端部に設けられた第１取付け部１５ａ（例えば雄側取付け部）と、中敷本体部１４の土踏まず部Ｍの下面に設けられ、第１取付け部１５ａが着脱自在に取り付けられる第２取付け部１５ｂ（例えば雌側取付け部）とを有している。
【００４４】
このように構成された一対の内甲用及び外甲用締上げベルト１６、１７、並びに、取付け部１５によると、図１に示すように、内甲用及び外甲用締上げベルト１６、１７のそれぞれの一端部に設けられた第１取付け部１５ａを、別々に中敷本体部１４の土踏まず部Ｍの下面に設けられた第２取付け部１５ｂに着脱自在に取り付けることができ、かつ、足の土踏まずを含む内甲側部及び外甲側部を締め上げる方向の取付け位置を変更することができるようになっている。
【００４５】
また、図１に示すように、位置表示部１９は、中敷本体部１４の下面であって、踵部Ｋと土踏まず部Ｍとの間の部分、及び、土踏まず部Ｍと踏付け部Ｈとの間の部分にそれぞれ設けられている。この位置表示部１９は、内甲用及び外甲用締上げベルト１６、１７のそれぞれの一端部に設けられた第１取付け部１５ａを、別々に中敷本体部１４の土踏まず部Ｍの下面に設けられた第２取付け部１５ｂに取り付ける取付け位置の目印となるものである。この位置表示部１９は、例えば三角形の凸部として形成されている。
【００４６】
そして、この位置表示部１９は、第１位置表示部１９ａ、第２位置表示部１９ｂ、及び第３位置表示部１９ｃを有している。
【００４７】
第１位置表示部１９ａは、２本の内甲用締上げベルト１６の２つの各一端部に設けられた第１取付け部１５ａを、別々に中敷本体部１４の土踏まず部Ｍの下面に設けられた第２取付け部１５ｂに取り付ける取付け位置の例えば標準となる位置を表示するものである。
【００４８】
第２位置表示部１９ｂは、１本の外甲用締上げベルト１７の一端部に設けられた第１取付け部１５ａを、第２取付け部１５ｂに取り付ける取付け位置の例えば標準となる位置を表示するものである。
【００４９】
第３位置表示部１９ｃは、第１位置表示部１９ａと第２位置表示部１９ｂとの間の中心位置を表示するものである。
【００５０】
連結部１８は、図１に示すように、一対の内甲用及び外甲用締上げベルト１６、１７のそれぞれの他端部に設けられ、当該各他端部を別々に靴１２に着脱自在に取り付けるためのものである。この連結部１８は、例えば靴紐２０を通すことができる紐挿通孔を有するものである。
【００５１】
図３（ａ）は、図１に示す履物の中敷１１の右足用中敷を示す部分切欠き底面図であり、図３（ｂ）は、図１に示す履物の中敷１１の左足用中敷を示す部分切欠き底面図である。この図３（ａ）、（ｂ）に示すように、左右の各中敷本体部１４のそれぞれに内甲用及び外甲用締上げベルト１６、１７を取り付けて使用することができる。
【００５２】
次に、上記のように構成された履物の中敷１１の作用について説明する。図１に示す履物の中敷１１は、図５に示すように、靴１２内の底に装着して使用することができる。この履物の中敷１１を靴１２内の底に装着して使用するときは、例えばまず、図１に示すように、一対の内甲用及び外甲用締上げベルト１６、１７のそれぞれの一端部に設けられた第１取付け部１５ａを、別々に中敷本体部１４の土踏まず部Ｍの下面に設けられた第２取付け部１５ｂに着脱自在に取り付ける。このとき、内甲用締上げベルト１６は、中敷本体部１４の内甲側に取り付け、外甲用締上げベルト１７は、中敷本体部１４の外甲側に取り付ける。
【００５３】
次に、この状態で、中敷本体部１４を靴１２内の底に装着する。そして、一対の内甲用及び外甲用締上げベルト１６、１７のそれぞれの他端部に設けられた連結部１８（紐挿通孔）に靴紐２０を通してこの連結部１８と靴紐２０とを互いに連結する。
【００５４】
しかる後に、このようにして中敷１１きが装着された靴１２に足を挿入すると、靴１２に挿入された足の中足部１３を一対の締上げベルト１６、１７によって締め付けることができる。その結果、この一対の締上げベルト１６、１７及び中敷本体部１４によって、足の土踏まず、内甲側部、及び外甲側部を、足の甲の頂部側に向かうように締上げることができる。
【００５５】
そして、一対の締上げベルト１６、１７は、ゴム様弾性体で形成されているので、足の大きさに応じて伸縮することができる。よって、足の大きさに拘らず、この一対の締上げベルト１６、１７及び中敷本体部１４は、所定の適切な締付け力で足の土踏まず、内甲側部及び外甲側部を締め上げて持上げる（リフトアップする）ことができる。
【００５６】
また、一対の締上げベルト１６、１７のそれぞれの一端部に設けられた第１取付け部１５ａを、土踏まず部Ｍの下面に設けられた第２取付け部１５ｂに取り付けるときに、ベルトの締め上げる方向の取付け位置を変更することができるようにこの取付け部１５が形成されている。これによって、例えば中足部１３の外周の長さに応じて、これら一対の締上げベルト１６、１７及び中敷本体部１４によって、中足部１３の内甲側部及び外甲側部における適切な長さの範囲の所定の部分を安定して保持した状態で適切な強さで締め上げることができるように調節することができる。
【００５７】
つまり、図３では、内甲用締上げベルト１６は、中敷本体部１４の第１位置表示部１９ａからＬ１の長さ（例えば約１００ｍｍ）だけ引き出された状態で中敷本体部１４に取り付けられている。そして、外甲用締上げベルト１７は、中敷本体部１４の第２位置表示部１９ｂからＬ２の長さ（例えば約１００ｍｍ）だけ引き出された状態で中敷本体部１４に取り付けられている。
【００５８】
そして、内甲用及び外甲用締上げベルト１６、１７のそれぞれの一端部に設けられた第１取付け部１５ａを、中敷本体部１４の第２取付け部１５ｂに取り付けるときに、ベルトの締め上げる方向の取付け位置を変更することによって、Ｌ１、Ｌ２の大きさを変更や調整をすることができる。このようにして、これら一対の締上げベルト１６、１７及び中敷本体部１４によって、足の内甲側部及び外甲側部における適切な長さの範囲の所定の部分を安定して保持した状態で適切な強さで締め上げることができるように調節することができる。その結果、快適な歩行を実現することができるし、立った状態の姿勢の安定性を高めることができる。よって、歩行時及び立った状態の姿勢の時の足の疲れを抑制することが可能である。
【００５９】
そして、足の内甲側部を締め上げる内甲用締上げベルト１６は、足首が内側に反ること（内反）を抑制することができる。
【００６０】
また、この履物の中敷１１は、これを使用しないときは、靴１２（履物）から取り外すことができるし、これを必要とするときは、靴１２（履物）に装着して使用することができる。勿論、一対の締上げベルト１６、１７を中敷本体部１４から取り外すことができるので、一対の締上げベルト１６、１７を使用せずに、中敷本体部１４のみを靴１２（履物）に装着して使用することができる。
【００６１】
更に、履物の中敷１１は、この中敷１１を装着することができ、かつ、一対の締上げベルト１６、１７のそれぞれの他端部を、その他端部に設けられている連結部１８（紐挿通孔）を介して着脱自在に取り付けることができる紐靴のような履物であれば、そのような様々な履物に共用して使用することができ便利である。
【００６２】
そして、図１に示すように、取付け部１５が面ファスナを有するものとすると、比較的簡単に、一対の締上げベルト１６、１７のそれぞれの一端部に設けられた第１取付け部１５ａを、別々に中敷本体部１４の土踏まず部Ｍの下面に設けられた第２取付け部１５ｂに取り付けることができるし、一対の締上げベルト１６、１７を中敷本体部１４から取り外すことができる。
【００６３】
また、図１に示すように、位置表示部１９を設けることによって、一対の締上げベルト１６、１７のそれぞれの一端部に設けられた第１取付け部１５ａを、土踏まず部Ｍの下面に設けられた第２取付け部１５ｂに取り付けるときに、その締上げ方向の取付け位置を、中敷本体部１４の下面に設けられている位置表示部１９（第１〜第３位置表示部１９ａ、１９ｂ、１９ｃ）を目印として調節したり決定することができる。これによって、足の中足部１３を締め付ける強さが適切な大きさとなるように、一対の締上げベルト１６、１７のそれぞれの一端部を土踏まず部Ｍの下面に取付け部１５によって簡単に取り付けることができる。
【００６４】
更に、図５（ａ）、（ｂ）に示すように、２本の内甲用締上げベルト１６が、足の内甲側部を足の甲の頂部側に向かって引き上げることができ、１本の外甲用締上げベルト１７が、足の外甲側部を足の甲の頂部側に向かって引き上げることができる。このように、足の内甲側部を引き上げる力を、外甲側部を引き上げる力よりも大きくすることによって、足の縦アーチが崩れないようにすることができる。これによって、歩行の安定性を高めることができるし、立った状態の姿勢の安定性を高めることができる。
【００６５】
なお、図４に示すように、足の内甲側部を引き上げる力を大きくすることによって、足の縦アーチが崩れないようにすることができるのは、足の内甲側部には、舟状骨があり、この舟状骨の部分に足底筋が付いており、この足底筋が２本の内甲用締上げベルト１６で締め上げられることによって足の縦アーチが保持されるようになっているからである。この図４は、２本の内甲用締上げベルト１６が足底筋を締め上げている状態を示す側面図である。
【００６６】
そして、図５に示す履物の中敷１１が装着された靴１２（履物）によると、履物の中敷１１によって足の中足部１３を締め上げたときに、中敷本体部１４の土踏まず部Ｍを、足の土踏まずに密着させることができる。そして、この中敷本体部１４は、靴１２内に装着されているので、足及び中敷本体部１４が靴１２内でずれて動くことなく、靴１２が足と一体となり、歩行をし易くすることができるし、立った状態の姿勢を維持し易くすることができる。また、履物の中敷１１は、足の土踏まずを締め上げているので、足の爪先を自由に動かすことができ、歩行の安定性を確保することができるし、立った状態の姿勢の安定性を高めることができる。
【００６７】
また、図５に示す履物の中敷１１が装着される履物として靴１２を採用すると、安定して歩行したり、安定して立った状態の姿勢を維持することができる靴１２を提供することができる。
【００６８】
ただし、上記実施形態では、図１に示すように、一対の締上げベルト１６、１７（内甲用及び外甲用締上げベルト１６、１７）のそれぞれの一端部に設けられた第１取付け部１５ａを、中敷本体部１４の土踏まず部Ｍの下面に設けられた第２取付け部１５ｂに対して着脱自在に取り付ける構成としたが、これに代えて、一対の締上げベルト１６、１７のそれぞれの一端部に設けられた第１取付け部１５ａを、別々に履物本体部（図示せず）の中底の土踏まず部の上面に設けられた第２取付け部１５ｂに対して着脱自在に取り付ける構成としてもよい。これ以外は、上記実施形態と同等であり、同等部分を同一の図面符号を付して説明し、それら同等部分の詳細な説明を省略する。
【００６９】
つまり、この履物は、踵部と土踏まず部と踏付け部とを有する履物本体部と、足の土踏まずを含む内甲側部及び外甲側部を締め上げるためのゴム様弾性体で形成された一対の締上げベルト１６、１７と、この一対の締上げベルト１６、１７のそれぞれの一端部に設けられた第１取付け部１５ａを、別々に履物本体部の中底の土踏まず部の上面に設けられた第２取付け部１５ｂに着脱自在に取り付けることができ、かつ、足の土踏まずを含む内甲側部及び外甲側部を締め上げる方向の取付け位置を変更することができる取付け部１５（第１及び第２取付け部１５ａ、１５ｂ）と、一対の締上げベルト１６、１７のそれぞれの他端部に設けられ、当該各他端部を別々に履物本体部に着脱自在に取り付けるための連結部１８（紐挿通孔）とを備えている。
【００７０】
この履物を使用するときは、例えばまず、一対の締上げベルト１６、１７のそれぞれの一端部に設けられた第１取付け部１５ａを、別々に履物本体部の中底の土踏まず部の上面に設けられた第２取付け部１５ｂに着脱自在に取り付ける。次に、一対の締上げベルト１６、１７のそれぞれの他端部に設けられた連結部１８（紐挿通孔）を例えば履物の靴紐２０に連結することによって、履物に挿入された足の中足部１３を一対の締上げベルト１６、１７及び中底によって締め付ける。このようにして、この一対の締上げベルト１６、１７及び中底によって、足の土踏まず、内甲側部、及び外甲側部を、足の甲の頂部側に向かう方向に締上げることができる。
【００７１】
そして、一対の締上げベルト１６、１７は、ゴム様弾性体で形成されているので、足の大きさに応じて伸縮することができる。よって、足の大きさに拘らず、この一対の締上げベルト１６、１７及び中底は、所定の適切な締付け力で足の土踏まず、内甲側部及び外甲側部を締め上げて持上げる（リフトアップする）ことができる。
【００７２】
また、一対の締上げベルト１６、１７のそれぞれの一端部に設けられた第１取付け部１５ａを、履物の中底の土踏まず部の上面に設けられた第２取付け部１５ｂに取り付けるときに、その締め上げる方向の取付け位置を変更することができるようにこの取付け部１５（第１及び第２取付け部１５ａ、１５ｂ）が形成されている。これによって、例えば中足部１３の外周の長さに応じて、これら一対の締上げベルト１６、１７及び中底によって、中足部１３の内甲側部及び外甲側部における適切な長さの範囲の所定の部分を安定して保持した状態で適切な強さで締め上げることができるように調節することができる。その結果、快適な歩行を実現することができるし、立った状態の姿勢の安定性を高めることができる。よって、歩行時及び立った状態の姿勢の時の足の疲れを抑制することが可能である。
【００７３】
なお、上記履物には、中敷きを装着するとよい。中敷きを装着することによって、一対の締上げベルト１６、１７のそれぞれの一端部、及びその一端部に設けられた第１取付け部１５ａ、並びに、中底に設けられている第２取付け部１５ｂの足裏に対する圧迫を緩和することができる。
【００７４】
また、上記履物において、一対の締上げベルト１６、１７を使用しないときは、これを履物から取り外すことができるし、これを必要とするときは、履物に装着して使用することができる。
【００７５】
更に、上記履物として靴を採用すると、安定して歩行したり、安定して立った状態の姿勢を維持することができる靴を提供することができる。
【００７６】
また、上記実施形態では、図１に示すように、中敷本体部１４に２本の内甲用締上げベルト１６を取り付けると共に、１本の外甲用締上げベルト１７を取り付けたが、内甲用及び外甲用のそれぞれの締上げベルト１６、１７の本数をこれ以外の本数としてもよい。
【産業上の利用可能性】
【００７７】
以上のように、本考案に係る履物の中敷及び履物は、足の中足部の大きさに応じて一対の各締上げベルトの長さの調節ができるようにして、一対の各締上げベルトによって、中足部の内甲側部及び外甲側部における適切な長さの範囲の所定の部分を安定して保持した状態で締め上げることができる優れた効果を有し、このような履物の中敷及び履物に適用するのに適している。
【符号の説明】
【００７８】
１１  履物の中敷き
１２  靴（履物）
１３  足の中足部
１４  中敷本体部
１５  取付け部
１５ａ  第１取付け部
１５ｂ  第２取付け部
１６  内甲用締上げベルト
１７  外甲用締上げベルト
１８  連結部
１９  位置表示部
１９ａ  第１位置表示部
１９ｂ  第２位置表示部
１９ｃ  第３位置表示部
２０  靴紐
Ｋ  靴の踵部
Ｍ  靴の土踏まず部
Ｈ  靴の踏付け部
【図１】
0003180971.tif 000003
【図２】
0003180971.tif 000004
【図３】
0003180971.tif 000005
【図４】
0003180971.tif 000006
【図５】
0003180971.tif 000007
【図６】
0003180971.tif 000008